(57)【要約】【課題】照明用の機能も具備した安全チョッキを提供する。【解決手段】チョッキ本体１の前面及び背面に、チョッキ本体の左右の肩部から裾部に掛けて設けた反射標識帯２，３を備えた安全チョッキであって、チョッキ本体１の前面側の反射標識帯２，３の部位に位置させて白色ＬＥＤ等で構成した任意数の第１の発光ダイオード５ａ…５ｆを設ける。各発光ダイオード５ａ…５ｆは、反射標識帯２，３の表面から斜め下方向に向けて光を放射するように配置して設けてある。【選択図】図１
2006176893.tif 000002
【特許請求の範囲】
【請求項１】
チョッキ本体の前面及び背面に、チョッキ本体の左右の肩部から裾部に掛けて設けた反射標識帯を備えた安全チョッキであって、
前記チョッキ本体の前面側の前記反射標識帯の部位に位置させて設けた任意数の第１の発光ダイオードを備え、
前記第１の各発光ダイオードは、前記反射標識帯の表面から斜め下方向に向けて光を放射するように配置して設けてあることを特徴とする、
安全チョッキ。
【請求項２】
第１の発光ダイオードは白色光発光ダイオードで構成されていることを特徴とする、請求項１記載の安全チョッキ。
【請求項３】
前記各発光ダイオードは、前記反射標識帯の表面に膨出して設けた保護用の透明カバー体内に位置させて設けてあることを特徴とする、請求項１又は２に記載の安全チョッキ。
【請求項４】
チョッキ本体は、前面及び背面の各反射標識帯の部位に位置させて設けた任意数の第２の発光ダイオードをさらに備えていることを特徴とする、請求項１ないし３のいずれかに記載の安全チョッキ。
【請求項５】
第２の発光ダイオードは赤色光その他の有色光発光ダイオードで構成されていることを特徴とする、請求項４に記載の安全チョッキ。
【請求項６】
前記第１の発光ダイオード群と第２の発光ダイオード群は、夫々別のスイッチで操作してＯＮ・ＯＦＦさせるように構成したことを特徴とする、請求項４又は５に記載の安全チョッキ。
【請求項７】
前記第１の発光ダイオード群と第２の発光ダイオード群は、切換スイッチで操作して選択的にＯＮ・ＯＦＦさせるように構成したことを特徴とする、請求項４又は５に記載の安全チョッキ。
【発明の詳細な説明】
【技術分野】
【０００１】
本発明は、主に警察官等が交通整理や交通事故の処理、或いは検問等の際などに着用する安全チョッキに関するものである。
【背景技術】
【０００２】
従来、例えば交通整理や交通事故の処理、或いは検問等を行なう警察官等は、自身の存在を知らせて安全性を確保するために安全チョッキを着用している。従来の安全チョッキとして、チョッキ本体の前面及び背面に、チョッキ本体の左右の肩部から裾部に掛けて反射標識帯を備えたものが一般に知られている（例えば、特許文献１参照）。
前記反射標識帯は、光を照射することにより、反射して発光する。したがって、前記安全チョッキを着用することにより、車のヘッドライト等の光を受けると前記標識帯が反射するので、車の運転者等は着用者の存在を確認できるので、これにより、警察官等が交通事故に遭遇する危険性を防止することができる。
【０００３】
また、従来の安全チョッキとして、上述した安全チョッキの反射標識帯の部位に位置させて発光ダイオード（ＬＥＤ）を設けたものも知られている（例えば、特許文献２及び３参照）。この安全チョッキによれば、反射標識帯の所定部が自発光するので、特許文献１のチョッキに比べて視認性が高くなるので、安全性が向上する。
【０００４】
上記したように、従来の安全チョッキは、専らチョッキ着用者（警察官等）が交通整理や検問その他の作業中に交通事故に遭遇する危険性を防止することを主眼として開発され、提供されている。
【０００５】
ところで、警察官等が例えば夜間において検問を実施中に、車の運転者の免許証を確認したり、車内やトランク等を点検することがある。このような場合、警察官等は懐中電灯を使用して上記作業を行なっている。したがって、警察官等は常時懐中電灯を携帯する必要がある。また、上記確認や点検等の作業を行なう際、一方の手で懐中電灯を持っているため、上記作業の妨げになる場合が生じることもある。
【特許文献１】実開平７−１９３０９号公報
【特許文献２】登録実用新案第３０４２１１６号公報
【特許文献３】登録実用新案第３０３８８５１号公報
【発明の開示】
【発明が解決しようとする課題】
【０００６】
本発明は上記のような実情に鑑みてなされたもので、照明用の機能も具備した安全チョッキを提供することを目的とするものである。
【課題を解決するための手段】
【０００７】
上記目的を達成するため、本発明は、チョッキ本体の前面及び背面に、チョッキ本体の左右の肩部から裾部に掛けて設けた反射標識帯を備えた安全チョッキであって、前記チョッキ本体の前面側の前記反射標識帯の部位に位置させて設けた任意数の第１の発光ダイオードを備え、前記第１の各発光ダイオードは、前記反射標識帯の表面から斜め下方向に向けて光を放射するように配置して設けてあることを特徴とする。
【０００８】
上記のように構成した本発明によれば、従来と同様に着用して安全チョッキとして使用できると共に、発光ダイオードを点灯すると、光を斜め下方向に向けて放射するので、この光が照明になる。したがって、懐中電灯を使用しなくても免許証等を容易、かつ、良好に確視することができる。また、従来のように懐中電灯を使用しなくてもよいので、警察官等は両方の手がフリーになる。
【０００９】
本発明において、第１の発光ダイオードは、白色光発光ダイオードで構成することができる。なお、この明細書において、「白色光発光ダイオード」とは、白色ないし白色系の光を放射する発光ダイオード（ＬＥＤ）を意味する。白色光発光ダイオードは「白色ＬＥＤ」とも称されている。この白色ＬＥＤは赤色、青色その他の有色の光を放射する発光ダイオード（有色光ＬＥＤ）に比べて輝度が高い。したがって、第１の発光ダイオードとして白色ＬＥＤを採用すると、照明度が高くなる。
【００１０】
本発明において、前記発光ダイオードは、前記標識帯の表面に膨出して設けた保護用の透明カバー体内に位置させて設ける構成を採用することができる。
【００１１】
本発明においては、チョッキ本体の前面及び背面の各反射標識帯の部位に位置させて設けた任意数の第２の発光ダイオードをさらに備えた構成を採用することができる。
第２の発光ダイオードとしては、赤色、青色その他の任意の有色の光を放射する有色光発光ダイオードを採用することができる。
【００１２】
本発明において、前記第１の発光ダイオード群と第２の発光ダイオード群は、夫々別のスイッチで操作してＯＮ・ＯＦＦさせるように構成することができる。また、前記第１の発光ダイオード群と第２の発光ダイオード群は、切換スイッチで操作して選択的にＯＮ・ＯＦＦさせるように構成することもできる。
【発明の効果】
【００１３】
本発明によれば、第１の発光ダイオードをＯＮにすると、前記反射標識帯の表面から斜め下方向に向けて光が放射されるので、この光の照明により免許証等を正確に見ることができる。したがって、懐中電灯を使用しなくても免許証の確認作業等を容易に行なうことができる。また、安全チョッキの着用者は両方の手がフリーになっているので、上記確認作業等を円滑、かつ、良好に行なえる。
【発明を実施するための最良の形態】
【００１４】
以下、図面を参照して本発明の実施の形態の一例を説明する。
【００１５】
図１は本発明の安全チョッキの一実施の形態を示す正面図（ａ）と背面図（ｂ）、図２は同上安全チョッキの前面側の反射標識帯の一部を拡大して示す正面図（ａ）と縦断面図（ｂ）、図３は同上反射標識帯に設けた第１の発光ダイオードの取付部分を拡大して示す説明図、図４は同上安全チョッキに採用した第１の発光ダイオードの一例を示す側面図、図５は同上安全チョッキに採用した第２の発光ダイオードの一例を示す側面図、図６は同上安全チョッキに採用される電子回路の一例を示す回路図である。
【００１６】
上記図１〜図６において、この実施の形態の安全チョッキは、身体に装着するように形成したチョッキ本体１を備えている。チョッキ本体１は、本体１の前面の左右、即ち、左の前身頃１１と右の前身頃１２及び背面の左右、即ち、後身頃１３の左右に、チョッキ本体１の左右の肩部（上端部）から裾部（下端部）に掛けて縫着等により添着して設けた反射標識帯２，３を備えている。また、実施の形態のチョッキ本体１は裾部の全体にわたり、縫着等により添着して設けた反射標識帯４を備え、裾部により胴ベルト部１４が形成してある。
【００１７】
前記チョッキ本体１はメッシュ生地等で造られ、適当部（この実施の形態では胴ベルト部）に設けた面状ファスナ（例えば、商品名マジックテープやベルクロ、いずれも登録商標）或いはホック等の止め具により係着して衣服の上から身体の上半身へ着用するように構成されている。この実施の形態では止め具として、胴ベルト部１４の両端に面状ファスナ（図示せず）を設けた構成を採用している。
なお、止め具としては、上記以外に、例えばスライド式のファスナその他の構成のものを使用できること勿論である。
【００１８】
前記反射標識帯２，３及び４は再帰反射性シート材や反射クロス材等の反射材で適当な巾に構成されている。実施の形態では反射標識帯として再帰反射性シート材（例えば、商品名、リフレクサイト、登録商標）で構成したものを採用している。また、実施の形態の反射標識帯２（３及び４も同様）は、例えば図２（ｂ）及び図３（ｃ）に示すように、塩化ビニル等の基材シート２１に再帰反射性フィルムシート材２２を重合して高周波ウェルダー等より加工処理して両者２１，２２の両側縁部を溶着した再帰反射性シート材で構成されている。
前記再帰反射性フィルムシート材２２は無着色のもの（一般に白色と称している）と黄色やオレンジに近い赤系の色で着色したもの等があり、任意のものを選択して採用することができる。
【００１９】
前記チョッキ本体１は、前面側の左右の前記両反射標識帯２及び３の部位に位置させて設けた任意数の第１の発光ダイオード５ａ…５ｆを備える。実施の形態では両標識帯２，３に上下方向に適当な間隔を存して３個宛づつ設けた例が開示されている。なお、前記ダイオードの数量は任意に増減可能である。前記各発光ダイオード５ａ…５ｆとして、実施の形態では白色光発光ダイオード（白色ＬＥＤ）を採用している。
【００２０】
また、実施の形態の各発光ダイオード５ａ…５ｆは、図４に最も詳細に示すように、先端を球状面５１に形成した無色透明又は半透明の円柱状体５２の基端からリード線５３ａ，５３ｂを取り出し、円柱状体５２の先端から軸方向へ光を放射するように構成したものを採用している。
前記各発光ダイオード５ａ…５ｆ（白色ＬＥＤ）は、後述するように直列に電気的に接続して配設され、スイッチをＯＮ・ＯＦＦ操作することにより、同時に点灯（ＯＮ）・消灯（ＯＦＦ）させるように構成してある。
なお、実施の形態では、第１の発光ダイオードとして、上述したように白色ＬＥＤを採用しているが、これは一例として開示したもので、上記に限定するものではない。例えば、白色ＬＥＤに代え、ライトブルー系や黄色系その他の輝度が高い（照明度が高い）光を放射する有色光発光ダイオードを採用することもできる。
【００２１】
前記各発光ダイオード５ａ…５ｆは、それぞれの前記両標識帯２及び３の表面から斜め下方向に向けて適当な角度で光を放射させるように配置して設けてある。前記光の放射角度は特に限定するものではなく、適当に決定する。
【００２２】
この実施の形態では、前記両標識帯２，３に上下方向に適当な間隔を存して適当な大きさ、形状（図示では略楕円形）の孔２３が開設してあると共に各孔２３を閉塞する保護用の透明カバー体２４…２４を備えている。前記各カバー体２４は透明プラスチック等で形成され、前記両標識帯２，３の表面に膨出させるようにして前記孔２３を閉塞し、高周波ウェルダー等によりカバー体２４の周縁を前記孔２３の周縁部に溶着して前記標識帯に設けてある。これにより、両標識帯２，３には前記カバー体２４により収容部２５が形成されている。そして、前記各発光ダイオード５ａ…５ｆはそれぞれ前記カバー体２４（収容部２５）内に位置させて設けられる。
【００２３】
実施の形態の前記各発光ダイオード５ａ…５ｆは適当な大きさに形成した基板３０…３０に取付けて設けてある。実施の形態の各基板３０は、図３に詳細に示すように、絶縁板３１の一方の面上に銅板等よりなる４本の電気回路３２ａ，３２ｂ，３２ｃ，３２ｄを並列して設けてある。前記各基板３０の前記回路３２ａは電気コード６の一方の線６ａと半田付け等により結線されていると共に前記回路３２ｄは電気コード６の他方の線６ｂと半田付け等により結線されている。
【００２４】
前記各発光ダイオード５ａ…５ｆは、一方のリード線５３ａを基板３０の前記回路３２ａに半田付け等により結線すると共に他方のリード線５３ｂを基板３０の前記回路３２ｄに半田付け等により結線して各基板３０に１個宛づつ取付けてある。これにより各発光ダイオード５ａ…５ｆは直列に接続され、図６に示すように、前記電気コード６によりスイッチ３３を介装して電池３４に接続し、スイッチ３３をＯＮ・ＯＦＦ（開閉）操作することにより、同時に点灯（ＯＮ）・消灯（ＯＦＦ）させるように構成してある。
【００２５】
前記各発光ダイオード５ａ…５ｆは上述したように各基板３０に取付けられ、前記両標識帯２，３の表面から斜め下方向へ向けて適当な角度で光を放射させるように、前記カバー体２４の収容部２５内に位置させて１個宛づつ配置して設けてある。この実施の形態では、前記各ダイオード５ａ…５ｆが所定の方向へ向くように、両リード線５３ａ，５３ｂを折り曲げて各ダイオード５ａ…５ｆを板３１に対して適当な角度に傾斜させてある。また、基板３０の表面と各発光ダイオード５ａ…５ｆの前記円柱状体５２との間には、スポンジ材等で構成した弾性保護部材５４が介装して設けてある。そして、各発光ダイオード５ａ…５ｆをカバー体２４内に所定の方向に向けて収容すると共に各基板３０を粘着テープ等３５によりそれぞれ両標識帯２，３の裏面に固定してある。これにより、スイッチ３３を閉成（ＯＮ）すると、各発光ダイオード５ａ…５ｆは同時に点灯し、両標識帯２，３の表面から斜め下方向に向けて光（実施の形態では白色光）を放射するように構成してある。
【００２６】
この実施の形態の安全チョッキは、チョッキ本体１の前面及び背面の各反射標識帯２，３の部位に位置させて設けた任意数の第２の発光ダイオード７ａ…７ｎをさらに備えている。実施の形態では両標識帯２，３に上下方向に適当な間隔を存して７個宛づつ設けた例が開示されている。また、実施の形態では、第２の発光ダイオードをチョッキ本体１の前面側の前記両標識帯２，３に３個宛づつ、また、背面側の前記標識帯２，３に４個宛づつ設けた例が開示されている。なお、前記第２の発光ダイオードの数量は任意に増減可能なこと勿論である。
前記発光ダイオード７ａ…７ｎとして、実施の形態では赤色系の光を放射する赤色光発光ダイオード（赤色ＬＥＤ）を採用している。但し、赤色系以外の有色光発光ダイオードを採用することもできる。
【００２７】
また、実施の形態の各発光ダイオード７ａ…７ｎは、図５に最も詳細に示すように、四角形状に形成したダイオード本体７１の裏面側の両側からリード線７２ａ，７２ｂを取り出した構成のものを採用している。なお、前記第２のダイオード７ａ…７ｎは、第１のダイオード５ａ…５ｆと同様の構成のものを採用してもよいこと勿論である。
【００２８】
前記第２の発光ダイオード７ａ…７ｎは、後述するように直列に電気的に接続して配設され、スイッチをＯＮ・ＯＦＦ操作することにより、電子回路４０で制御して同時に点滅させるように構成してある。
【００２９】
実施の形態の第２の発光ダイオード７ａ…７ｎのうち、チョッキ本体１の前面側の反射標識帯２，３に配置される発光ダイオード７ａ…７ｃ、及び７ｌ…７ｎは、前記第１の発光ダイオード５ａ…５ｆを取付けた基板３０…３１上にそれぞれ１個宛づつ取付けて設けてある。
前記各基板３０の前記回路３２ｂは、図３に示すように、第２の発光ダイオード用の電気コード８の一方の線８ａと半田付け等により結線されていると共に前記回路３２ｃは電気コード８の他方の線８ｂと半田付け等により結線されている。
【００３０】
前記チョッキ本体１の前面側に配置される各発光ダイオード７ａ…７ｃ、及び７ｌ…７ｎは、一方のリード線７２ａを基板３０の前記回路３２ｂに半田付け等により結線すると共に他方のリード線７２ｂを基板３０の前記回路３２ｃに半田付け等により結線して各基板３０に１個宛づつ取付けてある。また、チョッキ本体１の背面側に配置される各発光ダイオード７ｄ…７ｋは、一方のリード線７２ａを前記電気コード８の一方の線８ａと、また、他方のリード線７２ｂを前記コード８の他方の線８ｂと基板（図示せず）を介し、或いは直接的に接続され、図６に示すように、電気コード８によりスイッチ４１を介装して電池３４に接続し、スイッチ４１をＯＮ・ＯＦＦ（開閉）操作することにより、電子回路４０で制御して点滅させるように構成してある。
【００３１】
図６は前記電子回路の一例を示すもので、この電子回路４０は３個のトランジスタ４２ａ，４２ｂ，４２ｃを使用し、トランジスタ４２ｂと４２ｃは増巾率を向上するためにダーリントン接続してフリップフロップ回路を構成してある。同図において、４３ａ，４３ｂはコンデンサ、４４ａ…４４ｄは抵抗を示すものである。そこで、スイッチ４１をＯＮ（閉成）すると、トランジスタ４２ｂ、４２ｃはフリップフロップ回路動作し、したがって、各第２の発光ダイオード７ａ…７ｎは同時に点滅することになる。
【００３２】
前記電池３４はケースに収納され、チョッキ本体１の適当部（実施の形態では左前身頃１１の裏面側）に設けたポケット３５内に出し入れ自在に収容してある。また、前記電子回路４０もチョッキ本体１の適当部（実施の形態では左前身頃１１と反射標識帯２との間）に収容して設けてある。
【００３３】
実施の形態の安全チョッキはチョッキ本体１の前身頃の適当部（図示では左前身頃１１の下方部側）に第２の発光ダイオードの前記スイッチ４１をＯＮ・ＯＦＦ操作するスイッチボタン３６が設けてある。また、前記前身頃の適当部（図示では右前身頃１２の下方部側）に第１の発光ダイオードの前記スイッチ３３をＯＮ・ＯＦＦ操作するスイッチボタン３７が設けてある。
【００３４】
実施の形態の安全チョッキは上記のように構成され、従来の安全チョッキと同様に衣服の上から身体の上半身に着用するものである。そして、スイッチボタン３６を操作してスイッチ４１をＯＮ（閉成）すると、第２の各発光ダイオード７ａ…７ｎが点灯し、これにより、チョッキ着用者の視認性を高める。
また、スイッチボタン３７を操作してスイッチ３３をＯＮ（閉成）すると、第１の各発光ダイオード５ａ…５ｆが点灯し、両反射標識帯の表面から斜め下方向に向けて光が放射されるので、この光が照明光になり、例えば、免許証等を明確に見ることができる。したがって、従来のように懐中電灯を使用しなくても免許証等の確認作業等を容易に行なうことができる。また、チョッキ着用者は、両方の手がフリーになっているので、上記確認作業等を円滑、かつ、良好に行なえる。
さらにまた、第１の各発光ダイオードを点灯すると、チョッキ着用者が歩行する際の照明灯の作用も発揮する。
【００３５】
なお、実施の形態では第１の発光ダイオード群と第２の発光ダイオード群を夫々別のスイッチ３３及び４１でＯＮ・ＯＦＦさせるように構成した例を開示したが、切換スイッチを設け、このスイッチを操作して第１の発光ダイオード群と第２の発光ダイオード群を選択的にＯＮ・ＯＦＦさせる構成を採用してもよい。
【００３６】
また、上記した実施の形態は一例として開示したもので、本発明は上記実施の形態に限定されるものではなく、特許請求の範囲に記載の技術思想を越脱しない範囲において任意に変更可能なものである。
例えば、チョッキ本体の構成等は、例えば登録実用新案第３００９２６号や同第３０３８８５１号公報に記載されているような構成、その他の任意の構成に変更可能なものである。
【図面の簡単な説明】
【００３７】
【図１】本発明の安全チョッキの一実施の形態を示す図であって、同図（ａ）は正面図、同図（ｂ）は背面図である。
【図２】同上安全チョッキの前面側の反射標識帯の一部を拡大して示す正面図（ａ）と縦断面図（ｂ）である。
【図３】同上反射標識帯に設けた第１の発光ダイオードの取付け部分を拡大して示す説明図であって、同図（ａ）は基板に第１及び第２の発光ダイオードを取付けた状態を示す正面図、同図（ｂ）は側面図、同図（ｃ）は前記発光ダイオードの取付部分を示す拡大横断面図である。
【図４】同上安全チョッキに採用した第１の発光ダイオードの一例を示す側面図である。
【図５】同上安全チョッキに採用した第２の発光ダイオードの一例を示す側面図である。
【図６】同上安全チョッキに採用される電子回路の一例を示す回路図である。
【符号の説明】
【００３８】
１            チョッキ本体
２，３        反射標識帯
５ａ…５ｆ    第１の発光ダイオード
【図１】
2006176893.tif 000003
【図２】
2006176893.tif 000004
【図３】
2006176893.tif 000005
【図４】
2006176893.tif 000006
【図５】
2006176893.tif 000007
【図６】
2006176893.tif 000008